(57)【要約】【課題】冷媒量の増加に伴う大型化あるいは増設が必要な場合の冷媒貯留手段の収納場所を確保すると同時に暖房運転時の基板凍結防止を図った空気調和機の室外機を提供するものである。【解決手段】仕切板４を挟んで一方の側に少なくとも熱交換器３とファン１４を、他方の側に少なくとも圧縮機５を配置して構成される空気調和機の室外機であって、空気調和機の冷凍サイクルに具備される冷媒貯留手段１９は熱交換器３とファン４が配置された空間に配置されており、かつ冷媒貯留手段１９へ接続される接続配管１８は熱交換器１３の基板２近傍に配置した。【選択図】  図１
2004286286.tif 000002
【特許請求の範囲】
【請求項１】
仕切板を挟んで一方の側に少なくとも熱交換器とファンを、他方の側に少なくとも圧縮機を配置して構成される空気調和機の室外機であって、前記空気調和機の冷凍サイクルに具備される冷媒貯留手段は前記熱交換器とファンが配置された空間に配置されており、かつ前記冷媒貯留手段へ接続される接続配管を前記熱交換器の基板近傍に配置したことを特徴とする空気調和機の室外機。
【請求項２】
室外機はファンに対向して送風路を構成するベルマウスを具備した吹き出し口を有し、冷媒貯留手段は前記ベルマウスに対して送風路外側に配置したことを特徴とする請求項１記載の空気調和機の室外機。
【発明の詳細な説明】
【０００１】
【発明の属する技術分野】
本発明は、空気調和機の室外機における冷媒貯留手段の配置に関するものである。
【０００２】
【従来の技術】
従来の空気調和機の室外機は、図６に示すように本体内を仕切板４で圧縮機５、アキュ−ムレ−タ６、四方弁７や内外接続バルブ８、９及びそれらを結ぶ接続配管（図示せず）等を収納している機械室１１と熱交換器３、ファン１４、ファンモ−タ支持台１６等で構成される送風回路１３に区分され、レシ−バ１９は前記機械室１１に収納しきれない場合でも前記送風路内１３の比較的機械室１１近傍に配置されていた（例えば特許文献１参照）。
【０００３】
【特許文献１】
特開平２００１−１７３９９８号公報
【０００４】
【発明が解決しようとする課題】
しかしながら、上記従来の構成では、複数の室内機と接続可能なマルチエアコンに対処する室外機として、冷媒量の増加に伴うレシ−バの大型化や増設に対応すべく新たなスペ−ス活用として送風回路を活用してきたが、この場合送風路は単に設置のための空間として活用されているものであり、送風性能の低下を招く可能性があり、また暖房運転時に生ずるドレン水の基板上での凍結を防止することが困難であるという課題を有していた。
【０００５】
本発明はこのような従来の課題を解決するものであり、レシーバやアキュームレータといった冷媒貯留手段の大容量化に対応してその収納場所を確保するとともに、暖房運転時の基板凍結防止を図った空気調和機の室外機を提供することを目的とする。
【０００６】
【課題を解決するための手段】
上記課題を解決するために本発明の空気調和機の室外機は、仕切板を挟んで一方の側に少なくとも熱交換器とファンを、他方の側に少なくとも圧縮機を配置して構成される空気調和機の室外機であって、前記空気調和機の冷凍サイクルに具備される冷媒貯留手段は前記熱交換器とファンが配置された空間に配置されており、かつ前記冷媒貯留手段へ接続される接続配管を前記熱交換器の基板近傍に配置したことを特徴とする。
【０００７】
また本発明の他の空気調和機の室外機は、ファンに対向して送風路を構成するベルマウスを具備した吹き出し口を有し、冷媒貯留手段はベルマウスに対して送風路外側に配置したことを特徴とする。
【０００８】
冷媒貯留手段とは、容積的に冷媒を内部に貯留指せ手保持することができる構成のものであり、いわゆる凝縮機出口にて液冷媒を貯留するレシーバや、圧縮機のアキュームレータなどが相当する。
【０００９】
上記構成において冷媒貯留手段はファンモ−タ支持台、熱交換器端板で保持すればよい。
【００１０】
このような構成によって、大型化あるいは増設された冷媒貯留手段の効率的な収納が可能となり、暖房運転時に基板凍結防止できる空気調和機の室外機が得られる。また、基板と近接する熱交換機ほぼ全長にわたり凍結防止できる。
【００１１】
【発明の実施の形態】
以下本発明の実施の形態について図面を参照して説明する。
【００１２】
（実施の形態１）
図１あるいは図２において、空気調和機の室外機１の基板２上に、室外機１の一方の側面ａと背面ｂに面してＬ型に形成された熱交換器３、もう一方の側面側ｃに仕切板４により圧縮機５、アキュ−ムレータ６、四方弁７、内外接続バルブ８、９及び冷媒配管１０等の冷凍サイクル部品を収納する機械室１１、さらに上方に電装箱１２を配し、さらに熱交換器１と仕切板４で形成される送風回路１３に、ファン１４及びファンモ−タ１５を保持するファンモ−タ支持台１６を配置し、送風回路１３内の熱交換器３、ファン１４、ファンモ−タ支持台１５及び前板１７で形成される空間ｄに、機械室１１から冷媒配管で接続させた余剰冷媒貯蔵用のレシ−バ１９を基板２にレシ−バ支持板２０ａで固定し、レシ−バ１９へ接続されるレシ−バ接続配管１８を熱交換器３の基板２近傍に配置している。
【００１３】
図３は本実施の形態の主要断面を示した図で、２は基板、３は熱交換器、１８は冷媒配管、１９はレシーバ、２１は基板２に設けられたドレン水廃水穴である。
【００１４】
上記送風回路１３内の熱交換器３、ファン１４、ファンモ−タ支持台１５及び前板１７で形成される空間ｄに、機械室１１から冷媒配管１８で接続させた余剰冷媒貯蔵用のレシ−バ１９を基板２にレシ−バ支持板（底面）２０ａで固定し、レシ−バ１９へ接続される冷媒配管１８を熱交換器３の基板２近傍への配置において、レシ−バ１９の収納及び暖房運転時に熱交換器３から発生し基板２にたまったドレン水は室内機（図示せず）から戻ってきた余熱を残した冷媒が機械室１１の内外接続バルブ８を経由してレシ−バ接続配管１８を流れる過程で暖められ凍結を防止することができる。
【００１５】
（実施の形態２）
図４は、レシーバ１９はレシ−バ支持板（底面）２０ａで下方を基板２で、レシーバ支持板（側面）２０ｂでファンモ−タ支持台１５のレシ−バ支持部２２で固定される。
【００１６】
そして、この実施の形態によれば、レシ−バ１９の固定が底面と側面の二ヶ所で固定されることにより過酷な輸送にも耐えられ、マルチエアコンに要求される更なる冷媒の増加に伴う更なるレシ−バの大型化にも対処できる。
なお、上記ファンモ−タ支持台１５の代わりに、熱交換器３の上面に引っ掛けても同様の効果を得ることができる。
（実施の形態３）
図５は、レシーバ１９はレシ−バ支持板（底面）２０ａで下方を基板２で、レシーバ支持板（側面）２０ｂで熱交換器３の側面ａ側端板２３のレシ−バ支持部２４で固定され、レシ−バ接続配管１８は熱交換器３全長に渡って、基板２に近接した位置に配せられる。
【００１７】
そして、この実施の形態によれば、レシ−バ１９の固定が底面と側面の二ヶ所で固定されることにより過酷な輸送にも耐えられ、マルチエアコンに要求される更なる冷媒の増加に伴う更なるレシ−バの大型化にも対処できると共に基板２に近接する熱交換器３全長に渡って、レシ−バ接続配管１８で暖められることにより、基板２にたまったドレン水の凍結防止に対する効果が飛躍的に向上する。
【００１８】
【発明の効果】
上記から明らかなように、本発明の空気調和機の室外機によれば、非活用であった送風回路を有効活用しさらに暖房運転時の基板凍結防止という効果を奏する。また、輸送時のさまざまな衝撃に対し確実にレシ−バを保持できるとともに、送風の妨げなく、基板と近接する熱交換器ほぼ全長にわたり凍結防止できるという効果を奏する。
【図面の簡単な説明】
【図１】本発明の第１の実施形態を示す空気調和機の室外機の平面断面図
【図２】同一実施形態の空気調和機の室外機の側断面図
【図３】同一実施形態の空気調和機の室外機の要部断面図
【図４】本発明の第２の実施形態を示す側断面図（要部）
【図５】本発明の第３の実施形態を示す平面断面図（要部）
【図６】従来の空気調和機の室外機の断面図
【符号の説明】
１  空気調和機の室外機
２  基板
３  熱交換器
４  仕切板
５  圧縮機
６  アキュ−ムレータ
１１  機械室
１３  送風回路
１４  ファン
１５  ファンモ−タ
１６  ファンモ−タ支持台
１７  前板
１８  冷媒配管
１９  レシ−バ
２０  レシ−バ支持板
２２  レシーバ支持部（ファンモ−タ支持台）
２３  端板（熱交換器側面側）
２４  レシーバ支持部（熱交換器側面側端板）
【図１】
2004286286.tif 000003
【図２】
2004286286.tif 000004
【図３】
2004286286.tif 000005
【図４】
2004286286.tif 000006
【図５】
2004286286.tif 000007
【図６】
2004286286.tif 000008